(57)【要約】  【課題】冷房や除湿の冷房サイクルで運転中に送風ファンの風量が下がると、本体ユニットから吹き出す冷気は温度が風量を下げる前よりも低下し、降下し易くなるため室内にいる利用者に直接冷気が当たり不快感を与えるおそれがある。【解決手段】冷房サイクルで運転中に室内空気の温度が設定温度に達した場合、第一の風向偏向手段により本体ユニットから吹き出す調和空気を水平方向に吹き出すとともに、第二の風向偏向手段によりファンユニットから吹き出す室内空気を本体ユニットから吹き出す調和空気の方向に吹き出すように制御する。【選択図】図６
2018017486.tif 000002
【特許請求の範囲】
【請求項１】
吸込口と吹出口と熱交換器と送風ファンを有し、前記吸込口から室内空気を吸い込み調和空気を生成して前記吹出口から吹き出す本体ユニットと、前記本体ユニットの側部に配置され、補助吸込口と補助吹出口と補助送風ファンを有し前記補助吸込口から吸い込んだ室内空気を前記補助吹出口から吹き出すファンユニットと、室内空気の温度を検出する温度センサと、前記調和空気の吹出方向を偏向する第一の風向偏向手段と、前記室内空気の吹出方向を偏向する第二の風向偏向手段と、前記本体ユニットと前記ファンユニットを制御する制御部とを備えた空気調和機において、前記制御部は、前記空気調和機が冷房サイクルで運転中に前記室内空気の温度が第一の温度に達した場合、前記第一の風向偏向手段により前記本体ユニットから吹き出す前記調和空気を水平方向に吹き出すよう制御するとともに、前記第二の風向偏向手段により前記ファンユニットから吹き出す前記室内空気を前記本体ユニットから吹き出す前記調和空気の方向に吹き出すよう制御することを特徴とする空気調和機。
【請求項２】
前記制御部は、前記空気調和機が冷房サイクルで運転中に前記室内空気の温度が前記第一の温度に達した場合、前記室内空気の温度が前記第一の温度に達する前よりも前記本体ユニットから吹き出す前記調和空気の風量を下げることを特徴とする請求項１に記載の空気調和機。
【請求項３】
吸込口と吹出口と熱交換器と送風ファンを有し、前記吸込口から室内空気を吸い込み調和空気を生成して前記吹出口から吹き出す本体ユニットと、前記本体ユニットの側部に配置され、補助吸込口と補助吹出口と補助送風ファンを有し前記補助吸込口から吸い込んだ室内空気を前記補助吹出口から吹き出すファンユニットと、室内空気の温度を検出する温度センサと、室内空気の湿度を検出する湿度センサと、前記調和空気の吹出方向を偏向する第一の風向偏向手段と、前記室内空気の吹出方向を偏向する第二の風向偏向手段と、前記本体ユニットと前記ファンユニットを制御する制御部とを備えた空気調和機において、前記制御部は、前記空気調和機が冷房サイクルで運転中に前記室内空気の温度が第一の温度に達した場合、または前記室内空気の湿度が所定の湿度に達しかつ、前記室内空気の温度が第一の温度よりも高い第二の温度に達した場合、前記第一の風向偏向手段により前記本体ユニットから吹き出す前記調和空気を水平方向に吹き出すよう制御するとともに、前記第二の風向偏向手段により前記ファンユニットから吹き出す前記室内空気を前記本体ユニットから吹き出す前記調和空気の方向に吹き出すよう制御することを特徴とする空気調和機。
【請求項４】
前記制御部は、前記空気調和機が冷房サイクルで運転中に前記室内空気の温度が前記第二の温度に達した場合、または前記室内空気の湿度が所定の湿度に達した場合、前記室内空気の温度が前記第二の温度に達する前、または前記室内空気の湿度が所定の湿度に達する前よりも前記本体ユニットから吹き出す前記調和空気の風量を下げることを特徴とする請求項３に記載の空気調和機。
【発明の詳細な説明】
【技術分野】
【０００１】
本発明は、冷房運転や除湿運転を行う空気調和機に関する。
【背景技術】
【０００２】
空気調和機の室内機として、本体ユニットと本体ユニットの側部に取付けられたファンユニットを備えたものがある。本体ユニットの内部には、熱交換器と送風ファンが配置され、送風ファンが回転することで、室内空気が本体ユニット内に吸い込まれる。吸い込まれた空気は、熱交換器で冷媒と熱交換されて生成された調和空気となって室内へと吹き出される。また、ファンユニットの内部には補助送風ファンが配置され、ファンユニット内に吸い込んだ室内空気を吹き出す送風機の役目をしている。（例えば特許文献１参照。）
【０００３】
特許文献１に記載されている空気調和機は、冷房運転や除湿運転を行う際、送風ファンから吹き出される冷気を上下風向板で水平方向に偏向して吹き出すと共に、補助送風ファンから吹き出される室内空気を斜め下方向に吹き出すようにファンユニットの向きを調整することで、冷気を室内に行き渡らせるとともに、室内にいる利用者に室内空気を直接当てるようにすることで冷気による肌寒さを感じさせること無く、ほど良い涼しさを提供している。
【先行技術文献】
【特許文献】
【０００４】
【特許文献１】特開２０１４−１６９８３９号公報
【発明の概要】
【発明が解決しようとする課題】
【０００５】
空気調和機の冷房運転や除湿運転では室内空気の温度（室温）が設定温度に近づくと、室温が低下しすぎないように送風ファンから吹き出される風量を下げる。その結果、送風ファンから吹き出される冷気の温度は、送風ファンの風量を下げる前より低下し、冷気が空気調和機から近い位置で降下し易くなる。
【０００６】
このため、特許文献１のような送風ファンから吹き出される冷気を水平方向に吹き出す空気調和機において、室温が設定温度に近づいた際に送風ファンから吹き出す風量を下げると、冷気が降下し室内にいる利用者に直接当たり、快適性が損なわれるおそれがある。
【０００７】
本発明は以上述べた問題点を解決し、冷房あるいは除湿運転中（冷房サイクルで運転中）に、利用者の快適性を維持することを目的とする。
【課題を解決するための手段】
【０００８】
本発明は上述の課題を解決するため、本発明の請求項１に記載の空気調和機は、吸込口と吹出口と熱交換器と送風ファンを有し、前記吸込口から室内空気を吸い込み調和空気を生成して前記吹出口から吹き出す本体ユニットと、前記本体ユニットの側部に配置され、補助吸込口と補助吹出口と補助送風ファンを有し前記補助吸込口から吸い込んだ室内空気を前記補助吹出口から吹き出すファンユニットと、室内空気の温度を検出する温度センサと、前記調和空気の吹出方向を偏向する第一の風向偏向手段と、前記室内空気の吹出方向を偏向する第二の風向偏向手段と、前記本体ユニットと前記ファンユニットを制御する制御部とを備えた空気調和機において、前記制御部は、前記空気調和機が冷房サイクルで運転中に前記室内空気の温度が第一の温度に達した場合、前記第一の風向偏向手段により前記本体ユニットから吹き出す前記調和空気を水平方向に吹き出すよう制御するとともに、前記第二の風向偏向手段により前記ファンユニットから吹き出す前記室内空気を前記本体ユニットから吹き出す前記調和空気の方向に吹き出すよう制御することを特徴とする。
【０００９】
また、本発明の請求項２に記載の空気調和機の制御部は、前記空気調和機が冷房サイクルで運転中に前記室内空気の温度が前記第一の温度に達した場合、前記室内空気の温度が前記第一の温度に達する前よりも前記本体ユニットから吹き出す前記調和空気の風量を下げることを特徴とする。
【００１０】
また、本発明の請求項３に記載の空気調和機は、吸込口と吹出口と熱交換器と送風ファンを有し、前記吸込口から室内空気を吸い込み調和空気を生成して前記吹出口から吹き出す本体ユニットと、前記本体ユニットの側部に配置され、補助吸込口と補助吹出口と補助送風ファンを有し前記補助吸込口から吸い込んだ室内空気を前記補助吹出口から吹き出すファンユニットと、室内空気の温度を検出する温度センサと、室内空気の湿度を検出する湿度センサと、前記調和空気の吹出方向を偏向する第一の風向偏向手段と、前記室内空気の吹出方向を偏向する第二の風向偏向手段と、前記本体ユニットと前記ファンユニットを制御する制御部とを備えた空気調和機において、前記制御部は、前記空気調和機が冷房サイクルで運転中に前記室内空気の温度が第一の温度に達した場合、または前記室内空気の湿度が所定の湿度に達しかつ、前記室内空気の温度が第一の温度よりも高い第二の温度に達した場合、前記第一の風向偏向手段により前記本体ユニットから吹き出す前記調和空気を水平方向に吹き出すよう制御するとともに、前記第二の風向偏向手段により前記ファンユニットから吹き出す前記室内空気を前記本体ユニットから吹き出す前記調和空気の方向に吹き出すよう制御することを特徴とする。
【００１１】
また、本発明の請求項４に記載の空気調和機の制御部は、前記空気調和機が冷房サイクルで運転中に前記室内空気の温度が前記第二の温度に達した場合、または前記室内空気の湿度が所定の湿度に達した場合、前記室内空気の温度が前記第二の温度に達する前、または前記室内空気の湿度が所定の湿度に達する前よりも前記本体ユニットから吹き出す前記調和空気の風量を下げることを特徴とする。
【発明の効果】
【００１２】
本発明の空気調和機によれば、冷房や除湿といった冷房サイクルでの運転中に、送風ファンから吹き出される冷気の温度が低下しても、室内にいる利用者に直接冷気が当たることを防止し、利用者の快適性を維持することができる。
【図面の簡単な説明】
【００１３】
【図１】本発明による空気調和機の室内機の外観を示す斜視図である。
【図２】本発明による空気調和機の室内機の構成を示す分解斜視図である。
【図３】本発明による空気調和機の室内機の主筐体を正面から見た概略図である。
【図４】本発明による空気調和機の室内機の構成と、調和空気と室内空気の吹き出し方向を示す垂直断面図である。
【図５】本発明による空気調和機の室内機のファンユニットを示す斜視図である。
【図６】本発明による冷房サイクルの運転時の室内機の制御部の第１の実施例の処理を示すフローチャートである。
【図７】本発明による冷房サイクルの運転時の室内機の制御部の第２の実施例の処理を示すフローチャートである。
【発明を実施するための形態】
【００１４】
以下、本発明の実施の形態を、添付図面に基づいた実施例として詳細に説明する。なお、本発明は以下の実施形態に限定されることなく、本発明の主旨を逸脱しない範囲で種々変形することが可能である。
【実施例１】
【００１５】
本実施例の空気調和機１は、室内機１０と図示しない室外機で構成される。室内機１０は、図１と図２と図４に示すように、直方体形状の本体ユニット２０と、本体ユニット２０の左右の側部に設けられた一対のファンユニット３０を備える。本体ユニット２０の前面にはアウターパネル２３が配置される。本体ユニット２０の天面側と前面側には室内空気を取り込むための吸込口２１が設けられる。前面側の吸込口２１と対向する位置には前面パネル２４が設けられ、この前面パネル２４はアウターパネル２３に覆われている。図４に示すように、本体ユニット２０の内部には、熱交換器２５と、クロスフローファンである送風ファン２７が配置される。送風ファン２７が回転することで、室内空気が吸込口２１より本体ユニット２０内に吸い込まれる。吸い込まれた室内空気は熱交換器２５で冷媒と熱交換され、調和空気が生成される。生成された調和空気は、本体ユニット２０の前面下部にある吹出口２２に設けられた第一の風向偏向手段である上下風向板２９ａ、２９ｂで風向を偏向され、吹出口２２より室内へ吹き出される。なお、第一の風向偏向手段には本体ユニット２０の吹出口２２に設けられた図示しない左右風向板も含まれても良い。
【００１６】
ファンユニット３０について、図１と図２と図３と図５を基に説明する。ファンユニット３０は、図１に示すように、本体ユニット２０の両側部にあるサイドファンカバー３５内に収まるように配置される。図２と図５に示すように、ファンユニット３０は、本体ユニット２０内の送風ファン２７の回転軸と平行な軸線４１回りで回動するように、サイドファンカバー３５に軸支されている。ファンユニット３０の回動機構８０である第二の風向偏向手段は、図５に示すように、モータ８０ａと駆動ギア８０ｂとラック８０ｃとローラ８０ｄで構成される。ラック８０ｃはファンユニット３０の円筒部７１に形成され、円筒部７１の円筒面７２に沿って円弧状に配置される。ラック８０ｃには駆動ギア８０ｂが噛み合い、駆動ギア８０ｂをモータ８０ａで回転させることでファンユニット３０が回動する。この回動機構８０により、ファンユニット３０から吹き出す室内空気を上下に偏向させる。また、ローラ８０ｄは軸線４１に対して等距離に複数配置され、駆動ギア８０ｂを回転させたときファンユニット３０を回動し易くしている。なお、第二の風向偏向手段には、この回動機構８０の他にファンユニット３０の補助吹出口３２に設けられた左右風向板３６も含まれる。左右風向板３６によりファンユニット３０から吹き出す室内空気を左右に偏向させる。
【００１７】
図３に示すように、ファンユニット３０は、室内空気を吸い込み、吸い込んだ室内空気を吹き出すための補助送風ファン３３を備えている。補助送風ファン３３はファンユニット３０の内部に配置される。補助送風ファン３３にはモータ３４が接続され、このモータ３４を回転させることで補助送風ファン３３が回転する。ファンユニット３０には左右方向の軸線４１方向の外側から室内空気を吸い込む補助吸込口３１が配置され、補助吸込口３１から吸い込まれた室内空気を室内空間に吹き出す補助吹出口３２がファンユニット３０の前面側に配置される。
【００１８】
図３に示すように、本体ユニット２０の内部には電装品ユニット２６が配置されている。電装品ユニット２６には、送風ファン２７および補助送風ファン３３を制御する制御部５３と、吸込口２１から吸い込まれた室内空気の温度を検出する温度センサ５１と、室内空気の湿度を検出する湿度センサ５２と記憶部５４が備えられる。
【００１９】
また制御部５３は、本体ユニット２０の第一の風向偏向手段（上下風向板２９ａ、２９ｂ）の風向板の向きを制御することで、吹出口２２から吹き出す調和空気の吹出方向を偏向する。また、ファンユニット３０の第二の風向偏向手段（回動機構８０、及び左右風向板３６）を制御することで補助吹出口３２から吹き出す室内空気の吹出方向を偏向する。
【００２０】
また、記憶部５４には、冷房運転及び除湿運転といった冷房サイクルによる運転時に、利用者が快適と感じることができる室内の温度として設定した設定温度（例えば２５℃）を第一の温度として記憶されている。
【００２１】
電装品ユニット２６は、本体ユニット２０の前面側に取付けられることにより、送風ファン２７によって吸込口２１から吸い込まれた空気が流通する位置に配置される。例えば、図４に示すように、電装品ユニット２６は吸込口２１と室内熱交換器２５の間に配置される。また、電装品ユニット２６に備えられた温度センサ５１および湿度センサ５２は送風ファン２７によって吸込口２１から吸い込まれた空気がそれらセンサの周囲を流通することによって、室内の温度および湿度を検出することが出来る。
【００２２】
次に、空気調和機１を冷房サイクルで運転したときの本体ユニット２０およびファンユニット３０の動作について説明する。冷房サイクルの運転時には、図４に示す室内熱交換器２５が空気から吸熱して冷気を生成する蒸発器として機能しており、吹出口２２から吹き出される調和空気である冷気は第一の風向偏向手段（２９ａ、２９ｂ）により本体ユニット２０の前面側に向かって水平方向に偏向され吹き出される。これにより、冷気を室内に行き渡らせることができる。
【００２３】
冷房サイクルの運転開始時など、温度センサ５１が検出した室内空気の温度が第一の温度よりも高いときには、第二の風向偏向手段の回動機構８０により補助吹出口３２を水平方向より斜め下方向に向くまでファンユニット３０を回動させ、補助吹出口３２から吹き出される室内空気を利用者が居る方向に向かわせることで、利用者に冷気による肌寒さを感じさせること無くほど良い涼しさを提供している。
【００２４】
この冷房サイクルの運転により、温度センサ５１が検出した室内空気の温度が第一の温度に達した場合、制御部５３は室内温度が設定温度より低下することを防ぐため、送風ファン２７の風量を下げて冷房運転の能力を調整し、利用者に寒さによる不快感を感じさせないようにする。また、湿度センサ５２が検出した室内空気の湿度が設定湿度に達した場合、蒸し暑さが無くなり更に室内温度が低下すると利用者に寒さによる不快感を感じさせるため、制御部５３は送風ファン２７の風量を下げて冷房運転の能力を調整する。
【００２５】
送風ファン２７の風量が下がると、本体ユニット２０内に吸い込まれる室内空気の風量が減り、熱交換器２５で冷媒と熱交換され生成された調和空気の温度が室内空気の温度が第一の温度に達する前よりも低下する。また、吹出口２２から吹き出される調和空気の風量も室内空気の温度が第一の温度に達する前よりも少なくなる。このようになった調和空気は吹出口２２から水平方向に吹き出されていても、風速が遅くなっているため室内機１０の近くで冷気が降下することから室内機１０の近くにいる利用者に冷気が直接当たり不快感を与える。
【００２６】
このため、制御部５３は温度センサ５１が検出した室内空気の温度が第一の温度に達した場合、第二の風向偏向手段のうちの回動機構８０により補助吹出口３２が水平方向に向くまでファンユニット３０を回動させ、補助吹出口３２に設けられた第二の風向偏向手段のうちの左右風向板３６を本体ユニット２０側へと向けることにより、補助送風ファン３３から吹き出す室内空気を、第一の風向偏向手段（上下風向板２９ａ、２９ｂ）が偏向している送風ファン２７から吹き出す調和空気に向かって吹き出すように偏向する。ここで、補助送風ファン３３から吹き出される気流の風速は、送風ファン２７から吹き出される気流の風速よりも速くなるように制御される。
【００２７】
このように風向を制御することで、風量を下げたことにより風速が遅くなった調和空気（冷気）の流れは、補助送風ファン３３から吹き出される風速の速い気流により、室内機１０からは離れるように運ばれ、室内機１０の近くに降下しないようになるため利用者に送風ファン２７から吹き出す冷気が直接当たることを防止し、利用者の快適性を維持することができる。
【００２８】
図６は、本発明による冷房サイクルの運転時の室内機１０の制御部５３の第１の実施例の処理を示すフローチャートである。図６の処理を開始する条件としては、リモコンなどから冷房運転や除湿運転のような冷房サイクルでの運転が指示されたものとする。なお、フローチャートに記載のＳＴはステップを表し、これに続く数字はステップ番号をそれぞれ表している。
【００２９】
図６に示すように制御部５３は、冷房サイクルでの運転が指示されると、第一の風向偏向手段（上下風向板２９ａ、２９ｂ）により調和空気である冷気を水平方向に吹き出し、第二の風向偏向手段（回動機構８０）により室内空気を水平方向より斜め下方向に吹き出すように制御する（ＳＴ１）。制御部５３は、温度センサ５１が検出した室内空気の温度が、記憶部５４に記憶されている第一の温度以下であるか否かを判定する（ＳＴ２）。室内空気の温度が第一の温度以下ではない場合（ＳＴ２−Ｎｏ）、ＳＴ１に戻る。
【００３０】
制御部５３はＳＴ２において、室内空気の温度が第一の温度以下である場合（ＳＴ２−Ｙｅｓ）、送風ファン２７の風量を下げる（ＳＴ３）。制御部５３は、補助送風ファン３３からの室内空気を送風ファン２７から吹き出す調和空気に向かって吹き出すように第二の風向偏向手段（回動機構８０、及び左右風向板３６）を制御する（ＳＴ４）。制御部５３は、温度センサ５１が検出した室内空気の温度が、記憶部５４に記憶されている第一の温度以下であるか否かを判定する（ＳＴ５）。室内空気の温度が第一の温度以下ではない場合（ＳＴ５−Ｎｏ）、ＳＴ１に戻る。
【００３１】
制御部５３はＳＴ５において、室内空気の温度が第一の温度以下である場合（ＳＴ５−Ｙｅｓ）、制御部５３は、冷房運転や除湿運転のような冷房サイクルの運転の停止が指示されたか否かを判定する（ＳＴ６）。冷房サイクルの運転の停止が指示されていない場合（ＳＴ６−Ｎｏ）、ＳＴ５に戻る。一方、制御部５３はＳＴ６において、冷房サイクルの運転の停止が指示された場合（ＳＴ６−Ｙｅｓ）、冷房サイクルの運転を終了させて処理を終了する。
【００３２】
制御部５３は、図６に示す処理を行うことにより、空気調和機１が冷房運転や除湿運転といった冷房サイクルでの運転中に室温が設定温度に達したとして送風ファン２７の風量を下げても、送風ファン２７から吹き出す調和空気（冷気）に補助送風ファン３３から吹き出す室内空気を当てることにより、調和空気（冷気）が降下しないようにして、利用者に直接冷気が当たることを防止し利用者の快適性を維持することができる。
【実施例２】
【００３３】
実施例２では実施例１の温度センサ５１による制御に加えて、湿度センサ５２を併用した例である。なお、実施例２の記憶部５４には、冷房運転及び除湿運転といった冷房サイクルによる運転時に、利用者が快適と感じることができる室内の温度として設定した設定温度（例えば２５℃）が第一の温度として記憶され、設定湿度として利用者が快適と感じることができる室内湿度（例えば５０％）が記憶され、湿度が設定湿度まで下がった際には蒸し暑さを感じない室内温度として第一の温度よりも所定の温度高い温度（例えば第一の温度よりも２℃高い２７℃）が第二の温度として記憶されている。
【００３４】
実施例２の空気調和機１は冷房サイクルの運転時、湿度センサ５２が検出した室内空気の湿度が設定湿度に達しかつ、温度センサ５１が検出した室内空気の温度が第一の温度よりも高い第二の温度に達した場合、制御部５３は送風ファン２７の風量を下げて冷房運転の能力を調整し、第二の風向偏向手段（回動機構８０、及び左右風向板３６）により補助送風ファン３３から吹き出す室内空気を、第一の風向偏向手段（上下風向板２９ａ、２９ｂ）が偏向している送風ファン２７から吹き出す調和空気に向かって吹き出すように偏向する。
【００３５】
このように風向を制御することで、室内空気の温度が第一の温度に達する以前に、送風ファン２７の風量を下げて冷房運転の能力を調整する場合にも、送風ファン２７から吹き出す冷気が室内機１０の近くに降下しないようにして、利用者に冷気が直接当たることを防止できる。
【００３６】
図７は、実施例２の処理を示すフローチャートである。図７の処理を開始する条件は図６の処理を開始する条件と同様とする。
【００３７】
図７に示すように制御部５３は、冷房サイクルでの運転が指示されると、第一の風向偏向手段により調和空気である冷気を水平方向に吹き出し、第二の風向偏向手段により室内空気を水平方向より斜め下方向に吹き出すように制御する（ＳＴ１１）。制御部５３は、湿度センサ５２が検出した室内空気の湿度が、記憶部５４に記憶されている設定湿度以下であるか否かを判定する（ＳＴ１２）。室内空気の湿度が設定湿度以下である場合（ＳＴ１２−Ｙｅｓ）、制御部５３は、温度センサ５１が検出した室内空気の温度が、記憶部５４に記憶されている第二の温度以下であるか否かを判定する（ＳＴ１４）。
【００３８】
制御部５３はＳＴ１４において、室内空気の温度が第二の温度以下である場合（ＳＴ１４−Ｙｅｓ）、ＳＴ１５に移行する。また、室内空気の温度が第二の温度以下ではない場合（ＳＴ１４−Ｎｏ）、ＳＴ１１に戻る。一方、制御部５３はＳＴ１２において、室内空気の湿度が設定湿度以下ではない場合（ＳＴ１２−Ｎｏ）、温度センサ５１が検出した室内空気の温度が、記憶部５４に記憶されている第一の温度以下であるか否かを判定する（ＳＴ１３）。室内空気の温度が第一の温度以下である場合（ＳＴ１３−Ｙｅｓ）、ＳＴ１５に移行する。また、室内空気の温度が第一の温度以下ではない場合（ＳＴ１３−Ｎｏ）、ＳＴ１１に戻る。
【００３９】
制御部５３はＳＴ１５において送風ファン２７の風量を下げる。続いて制御部５３は、補助送風ファン３３からの室内空気を送風ファン２７から吹き出す調和空気に向かって吹き出すように第二の風向偏向手段（回動機構８０、及び左右風向板３６）を制御する（ＳＴ１６）。続いて制御部５３は、温度センサ５１が検出した室内空気の温度が、記憶部５４に記憶されている第二の温度以下であるか否かを判定する（ＳＴ１７）。
【００４０】
制御部５３はＳＴ１７において、室内空気の温度が第二の温度以下である場合（ＳＴ１７−Ｙｅｓ）、制御部５３は、湿度センサ５２が検出した室内空気の湿度が、記憶部５４に記憶されている設定湿度以下であるか否かを判定する（ＳＴ１８）。室内空気の湿度が設定湿度以下である場合（ＳＴ１８−Ｙｅｓ）、制御部５３は、冷房運転や除湿運転のような冷房サイクルの運転の停止が指示されたか否かを判定する（ＳＴ１９）。冷房サイクルの運転の停止が指示されていない場合（ＳＴ１９−Ｎｏ）、ＳＴ１７に戻る。
【００４１】
一方、制御部５３はＳＴ１７において、室内空気の温度が第二の温度以下ではない場合（ＳＴ１７−Ｎｏ）、ＳＴ１１に戻る。また、制御部５３はＳＴ１８において、室内空気の湿度が設定湿度以下ではない場合（ＳＴ１８−Ｎｏ）、ＳＴ１１に戻る。また、制御部５３はＳＴ１９において、冷房サイクルの運転の停止が指示された場合（ＳＴ１９−Ｙｅｓ）、冷房サイクルの運転を終了させて処理を終了する。
【００４２】
制御部５３は、図７に示す処理を行うことにより、室内空気の温度が第一の温度以下になる前に室内空気の湿度が設定湿度に達し、室内空気の温度が第二の温度以下に達していれば、送風ファン２７から吹き出す調和空気（冷気）に補助送風ファン３３から吹き出す室内空気を当て、調和空気（冷気）の流れを強めて降下しないようにして、利用者に直接冷気が当たることを防止し利用者の快適性を維持することができる。
【符号の説明】
【００４３】
１  空気調和機
１０  室内機
２０  本体ユニット
２１  吸込口
２２  吹出口
２５  熱交換器
２６  電装品ユニット
２７  送風ファン
２９ａ、２９ｂ  上下風向板（第一の風向偏向手段）
３０  ファンユニット
３１  補助吸込口
３２  補助吹出口
３３  補助送風ファン
３４  モータ
３５  サイドファンカバー
３６  左右風向板（第二の風向偏向手段）
５１  温度センサ
５２  湿度センサ
５３  制御部
５４  記憶部
７１  円筒部
７２  円筒面
８０  回動機構（第二の風向偏向手段）
８０ａ  モータ（ファンユニット回動用）
８０ｂ  駆動ギア
８０ｃ  ラック
８０ｄ  ローラ
【図１】
2018017486.tif 000003
【図２】
2018017486.tif 000004
【図３】
2018017486.tif 000005
【図４】
2018017486.tif 000006
【図５】
2018017486.tif 000007
【図６】
2018017486.tif 000008
【図７】
2018017486.tif 000009